(57)【要約】本発明は、マルチメディアリングバックトーンサービスのための端末機及び端末機の制御方法に関するものである。本発明は、加入者のリングバックトーンサービス加入の可否を含むプロファイル情報が格納されているホーム位置登録機（ＨＬＲ：Home Location Register）、リングバックトーン音源を格納している音源提供サーバーを用いて、発信加入者が着信加入者に電話をかければ、着信加入者が前記音源提供サーバーに予め設定して置いたリングバックトーン音源が発信端末機に再生されるようにするマルチメディアリングバックトーンサービスのための端末機制御方法であって、（ａ）交換機から前記マルチメディアコーデック情報を含んだコーデック設定メッセージを受信するステップと、（ｂ）音声コーデックのデコーディング機能を非活性化させるステップと、（ｃ）マルチメディアコーデックのデコーディング機能を活性化させるステップと、（ｄ）前記リングバックトーン音源を受信するステップと、（ｅ）前記マルチメディアコーデックを通じて前記リングバックトーン音源をデコーディングして再生するステップと、を含むことを特徴とするマルチメディアリングバックトーンサービスのための端末機制御方法及び端末機に関するものである。
2008507191.tif 000002
【特許請求の範囲】
【請求項１】
加入者のリングバックトーンサービス加入の可否を含むプロファイル情報が格納されているホーム位置登録機（ＨＬＲ：Home Location Register）、リングバックトーン音源を格納している音源提供サーバーを用いて、発信加入者が着信加入者に電話をかければ、着信加入者が前記音源提供サーバーに予め設定して置いたリングバックトーン音源が発信端末機に再生されるようにするマルチメディアリングバックトーンサービスのための端末機制御方法であって、
（ａ）交換機から前記マルチメディアコーデック情報を含んだコーデック設定メッセージを受信するステップと、
（ｂ）音声コーデックのデコーディング機能を非活性化させるステップと、
（ｃ）マルチメディアコーデックのデコーディング機能を活性化させるステップと、
（ｄ）前記リングバックトーン音源を受信するステップと、
（ｅ）前記マルチメディアコーデックを通じて前記リングバックトーン音源をデコーディングして再生するステップと、
を含むことを特徴とするマルチメディアリングバックトーンサービスのための端末機制御方法。
【請求項２】
（ｆ）着信端末機で呼着信がなされれば、連結設定メッセージを受信するステップと、
（ｇ）前記連結設定メッセージに含まれた情報を用いて前記音声コーデックのデコーディング機能を活性化させるステップと、
を更に含むことを特徴とする請求項１記載のマルチメディアリングバックトーンサービスのための端末機制御方法。
【請求項３】
前記端末機が設定するべき前記音声コーデックは、呼発信手順で協議された音声コーデックであることを特徴とする請求項２記載のマルチメディアリングバックトーンサービスのための端末機制御方法。
【請求項４】
前記マルチメディアコーデックはソフトウェア形態で具現されて、前記端末機のマルチメディアサービスのためのマルチメディアプロセスモジュールまたはメモリに格納されることを特徴とする請求項１記載のマルチメディアリングバックトーンサービスのための端末機制御方法。
【請求項５】
前記コーデック設定メッセージはData_Burstメッセージを利用し、かつ、前記Data_Burstメッセージにリングバックトーンコーデックフィールドを追加することを特徴とする請求項１記載のマルチメディアリングバックトーンサービスのための端末機制御方法。
【請求項６】
前記リングバックトーンコーデックフィールドは４ｂｉｔで、かつ、前記マルチメディアコーデック情報を含むことを特徴とする請求項５記載のマルチメディアリングバックトーンサービスのための端末機制御方法。
【請求項７】
加入者のリングバックトーンサービス加入の可否を含むプロファイル情報が格納されているホーム位置登録機（ＨＬＲ：Home Location Register）、リングバックトーン音源を格納している音源提供サーバーを用いて、発信加入者が着信加入者に電話をかければ、着信加入者が前記音源提供サーバーに予め設定して置いたリングバックトーン音源が発信端末機に再生されるようにする、マルチメディアリングバックトーンサービスのために分配器を用いた端末機制御方法であって、
（ａ）交換機から前記マルチメディアコーデック情報を含んだコーデック設定メッセージを受信するステップと、
（ｂ）前記分配器を用いて受信データの経路を音声コーデックからマルチメディアコーデックに変更するステップと、
（ｃ）前記リングバックトーン音源を受信するステップと、
（ｄ）前記マルチメディアコーデックを通じて前記リングバックトーン音源をデコーディングして再生するステップと、
を含むことを特徴とするマルチメディアリングバックトーンサービスのために分配器を用いた端末機制御方法。
【請求項８】
（ｅ）着信端末機で呼着信がなされれば、連結設定メッセージを受信するステップと、
（ｆ）前記連結設定メッセージに含まれた情報を用いて前記受信データの経路を前記音声コーデックに変更するステップと、
を更に含むことを特徴とする請求項７記載のマルチメディアリングバックトーンサービスのために分配器を用いた端末機制御方法。
【請求項９】
前記ステップ（ｆ）において、
前記受信データの経路変更は、前記分配器の分配機能を非活性化させて遂行することを特徴とする請求項８記載のマルチメディアリングバックトーンサービスのために分配器を用いた端末機制御方法。
【請求項１０】
前記マルチメディアコーデックはソフトウェア形態で具現されて前記端末機のマルチメディアサービスのためのマルチメディアプロセスモジュールまたはメモリに格納されることを特徴とする請求項７記載のマルチメディアリングバックトーンサービスのために分配器を用いた端末機制御方法。
【請求項１１】
前記コーデック設定メッセージはData_Burstメッセージを利用し、かつ、前記Data_Burstメッセージにリングバックトーンコーデックフィールドを追加することを特徴とする請求項７記載のマルチメディアリングバックトーンサービスのために分配器を用いた端末機制御方法。
【請求項１２】
前記リングバックトーンコーデックフィールドは４ｂｉｔで、かつ、前記マルチメディアコーデック情報を含むことを特徴とする請求項１記載のマルチメディアリングバックトーンサービスのために分配器を用いた端末機制御方法。
【請求項１３】
加入者のリングバックトーンサービス加入の可否を含むプロファイル情報が格納されているホーム位置登録機（ＨＬＲ：Home Location Register）、リングバックトーン音源を格納している音源提供サーバーを用いて、発信加入者が着信加入者に電話をかければ、着信加入者が前記音源提供サーバーに予め設定して置いたリングバックトーン音源が発信端末機に再生されるようにするマルチメディアリングバックトーンサービスのための端末機制御方法であって、
（ａ）交換機から前記マルチメディアコーデック情報を含んだコーデック設定メッセージを受信するステップと、
（ｂ）受信データの経路を音声コーデックからマルチメディアコーデックに変更するステップと、
（ｃ）前記リングバックトーン音源を受信するステップと、
（ｄ）前記マルチメディアコーデックを通じて前記リングバックトーン音源をデコーディングして再生するステップと、
を含むことを特徴とするマルチメディアリングバックトーンサービスのための端末機制御方法。
【請求項１４】
（ｅ）着信端末機で呼着信がなされれば、連結設定メッセージを受信するステップと、
（ｆ）前記連結設定メッセージに含まれた情報を用いて前記受信データの経路を前記音声コーデックに変更するステップと、
を更に含むことを特徴とする請求項１３記載のマルチメディアリングバックトーンサービスのための端末機制御方法。
【請求項１５】
加入者のリングバックトーンサービス加入の可否を含むプロファイル情報が格納されているホーム位置登録機（ＨＬＲ:Home Location Register）、リングバックトーン音源を格納している音源提供サーバーを用いて、発信加入者が着信加入者に電話をかければ、着信加入者が前記音源提供サーバーに予め設定して置いたリングバックトーン音源が発信端末機に再生されるようにするマルチメディアリングバックトーンサービスのための端末機であって、
前記マルチメディアコーデック情報を含んだコーデック設定メッセージを受信すれば音声コーデックのデコーディング機能を非活性化させて、マルチメディアコーデックのデコーディング機能を活性化させるように制御するモデム通信制御部と、
前記モデム通信制御部の制御によって前記デコーディング機能が活性化されれば、通信網を通じて受信された前記リングバックトーン音源を前記マルチメディアコーデックを通じてデコーディングするマルチメディアプロセスモジュールと、
を含むことを特徴とするマルチメディアリングバックトーンサービスのための端末機。
【請求項１６】
前記モデム通信制御部では、
呼着信がなされて連結設定メッセージを受信すれば、前記連結設定メッセージに含まれた情報を用いて前記音声コーデックのデコーディング機能を活性化させるように制御することを特徴とする請求項１５記載のマルチメディアリングバックトーンサービスのための端末機。
【請求項１７】
前記マルチメディアコーデックはソフトウェア形態で具現されて、前記マルチメディアプロセスモジュールまたはメモリに格納されることを特徴とする請求項１５記載のマルチメディアリングバックトーンサービスのための端末機。
【請求項１８】
前記コーデック設定メッセージはData_Burstメッセージを利用し、かつ、前記Data_Burstメッセージにリングバックトーンコーデックフィールドを追加することを特徴とする請求項１５記載のマルチメディアリングバックトーンサービスのための端末機。
【請求項１９】
前記リングバックトーンコーデックフィールドは４ｂｉｔで、かつ、前記マルチメディアコーデック情報を含むことを特徴とする請求項１８記載のマルチメディアリングバックトーンサービスのための端末機。
【請求項２０】
加入者のリングバックトーンサービス加入の可否を含むプロファイル情報が格納されているホーム位置登録機（ＨＬＲ：Home Location Register）、リングバックトーン音源を格納している音源提供サーバーを用いて、発信加入者が着信加入者に電話をかければ、着信加入者が前記音源提供サーバーに予め設定して置いたリングバックトーン音源が発信端末機に再生されるようにする、マルチメディアリングバックトーンサービスのために分配器を用いた端末機であって、
前記マルチメディアコーデック情報を含んだコーデック設定メッセージを受信すれば、受信データの経路を音声コーデックからマルチメディアコーデックに変更するように制御するモデム通信制御部と、
前記モデム通信制御部の制御によって、前記受信データの経路を変更する分配器と、
前記リングバックトーン音源が受信されれば、前記マルチメディアコーデックを通じて前記リングバックトーン音源をデコーディングするマルチメディアプロセスモジュールと、
を含むことを特徴とするマルチメディアリングバックトーンサービスのために分配器を用いた端末機。
【請求項２１】
前記モデム通信制御部では、
呼着信がなされて連結設定メッセージを受信すれば、前記連結設定メッセージに含まれた情報を用いて前記受信データの経路を前記音声コーデックに変更するように制御することを特徴とする請求項２０記載のマルチメディアリングバックトーンサービスのために分配器を用いた端末機。
【請求項２２】
前記受信データの経路を前記音声コーデックに変更するように制御することは、前記分配器の分配機能が非活性化するように制御するものであることを特徴とする請求項２１記載のマルチメディアリングバックトーンサービスのために分配器を用いた端末機。
【請求項２３】
前記マルチメディアコーデックはソフトウェア形態で具現されて、前記マルチメディアプロセスモジュールまたはメモリに格納されることを特徴とする請求項２０記載のマルチメディアリングバックトーンサービスのために分配器を用いた端末機。
【請求項２４】
前記コーデック設定メッセージはData_Burstメッセージを利用し、かつ、前記Data_Burstメッセージにリングバックトーンコーデックフィールドを追加することを特徴とする請求項２０記載のマルチメディアリングバックトーンサービスのために分配器を用いた端末機。
【請求項２５】
前記リングバックトーンコーデックフィールドは４ｂｉｔで、かつ、前記マルチメディアコーデック情報を含むことを特徴とする請求項２４記載のマルチメディアリングバックトーンサービスのために分配器を用いた端末機。
【請求項２６】
加入者のリングバックトーンサービス加入の可否を含むプロファイル情報が格納されているホーム位置登録機（ＨＬＲ：Home Location Register）、リングバックトーン音源を格納している音源提供サーバーを用いて、発信加入者が着信加入者に電話をかければ、着信加入者が前記音源提供サーバーに予め設定して置いたリングバックトーン音源が発信端末機に再生されるようにするマルチメディアリングバックトーンサービスのための端末機であって、
前記マルチメディアコーデック情報を含んだコーデック設定メッセージを受信すれば、受信データの経路を音声コーデックからマルチメディアコーデックに変更するように制御するモデム通信制御部と、
前記モデム通信制御部の制御によって、前記受信データの経路が前記マルチメディアコーデックに変更されれば、通信網を通じて受信された前記リングバックトーン音源を前記マルチメディアコーデックを通じてデコーディングするマルチメディアプロセスモジュールと、
を含むことを特徴とするマルチメディアリングバックトーンサービスのための端末機。
【請求項２７】
前記モデム通信制御部では、
呼着信がなされて連結設定メッセージを受信すれば、前記連結設定メッセージに含まれた情報を用いて前記受信データの経路を前記音声コーデックに変更するように制御することを特徴とする請求項２６記載のマルチメディアリングバックトーンサービスのための端末機。
【発明の詳細な説明】
【技術分野】
【０００１】
本発明は、マルチメディアリングバックトーンサービスのための端末機及び端末機の制御方法に関し、より詳しくは、発信者端末機がＥＶＲＣ（Enhanced Variable Rate Codec）のような音声専用コーデックの以外に音楽の品質改善が可能なマルチメディアコーデックを支援する場合に、リングバックトーン区間の間には高品質の音楽のためのマルチメディアコーデックを動作させて、音声通話時にはＥＶＲＣのような音声コーデックを動作させることができるマルチメディアリングバックトーンサービスを提供することにおいて、このようなマルチメディアリングバックトーンサービスのための端末機及び端末機の制御方法に関する。
【背景技術】
【０００２】
コンピュータ、電子、通信技術が飛躍的に発展することにつれて、無線通信網（Wireless Network）を用いた多様な無線通信サービスが提供されている。最も基本的な無線通信サービスは、移動通信端末機の使用者に無線で音声通話を提供する無線音声通話サービスであって、これは時間と場所に関わらず、サービスが提供できるという特徴がある。また、文字メッセージサービスを提供して音声通話サービスを補完する一方、最近には移動通信端末機の使用者に無線通信網を通じてインターネット通信サービスを提供する無線インターネットサービスが台頭した。
【０００３】
したがって、移動通信サービスの加入者は無線通話サービスを用いていつどこでも自由に移動しながら相手方と通話できるのみならず、無線インターネットサービスを通じて生活に必要な多様な情報、例えば、ニュース、天気、スポーツ、証券、為替レート、または交通情報などを文字、音声またはイメージ（Image）などの各種形態で提供受けることができる。
【０００４】
このように、移動通信技術の発達によって符号分割多重接続（ＣＤＭＡ：コード Division Multiple Access）移動通信システムで提供するサービスは、音声サービスだけでなく、サーキット（Circuit）データ、パケット（Packet）データなどのようなデータを伝送するマルチメディア通信サービスに発展しているところである。
【０００５】
また、最近には情報通信の発達によりＩＴＵ−Ｒで標準に制定している第３世代の移動通信システムであるＩＭＴ−２０００（International Mobile Telecommunication 2000）（例えば、ＣＤＭＡ２０００ １Ｘ、３Ｘ、ＥＶ−ＤＯ、ＷＣＤＭＡ（Wide Band CDMA）等）が常用化している。最近は、既存のＩＳ−９５Ａ、ＩＳ−９５Ｂ網で進化したＩＳ−９５Ｃ網を用いてＩＳ−９５Ａ、ＩＳ−９５Ｂ網で支援可能なデータ伝送速度である１４．４Ｋｂｐｓや５６Ｋｂｐｓよりはるかに速い最高３０７．２Ｋｂｐｓの伝送速度で無線インターネットを提供している。特に、ＩＭＴ−２０００サービスを利用すれば、既存の音声及びＷＡＰサービス品質の向上は勿論、各種マルチメディアサービス（ＡＯＤ、ＶＯＤ等）をより速い速度で提供することができる。
【０００６】
一方、最近には移動通信端末機の着信者が指定した多様な音を相手方発信者の移動通信端末機、または、一般電話機で通話待機音として聞こえるようにするリングバックトーン（ＲＢＴ：Ring Back Tone）サービス、または、いわゆるカラーリング通話待機音（ＣＲＢＴ：Coloring RBT）サービスが脚光を浴びている。このようなリングバックトーンサービスは着信者が指定したリングバックトーンを発信者に提供するという概念であって、既存の通話時に発生する機械的な通話待機音、例えば、“リーンとリーンと”する声の代わりに最新歌謡やポップソングなどは勿論で、鳥の声、水の音などを始めとして、事前に録音して置いた自分の音声までもリングバックトーンとして使用可能にしたサービスである。
【０００７】
このようなリングバックトーンサービスが提供されることにつれて、相手方は画一的で、かつ機械的なリングバックトーンを聴取する代わり、着信者が指定した音源の声を聴取することによって、聴覚的な満足感を感じるようにすることができる。
【０００８】
図１は、従来の移動端末機の内部構成を簡略に示すブロック構成図である。
【０００９】
移動端末機では、アンテナ１００を介して無線信号を受信すれば、ＲＦ信号処理部１０２を通じて受信した無線信号をディジタル信号に変換する。 マックス（ＭＵＸ）１０４では受信されたパケットが一般データであるか信号制御用であるかを判別して、受信されたパケットが信号制御用である場合にはパケットをモデム制御通信部１２０に伝達して、一般データの場合には音声コーデックデコーダ１０６に伝達する。 
【００１０】
信号制御用データは主に移動端末機の呼設定及び移動性管理のための制御メッセージであり、一般データは使用者の音声及び付加データサービスのための情報である。 音声コーデックデコーダ１０６を通過することによって、音声コーデックデコーダ１０６に伝えられた一般データで誤りが存在するフレームは捨てられて、正常なデータのみ上位に伝えられるようになる。 ここで、受信されたデータが音声通話データであれば、イヤホン１１２やスピーカ１１０に送って再生することになり、受信されたデータがリアルタイムマルチメディアサービス用データであれば、マルチメディアプロセスモジュール１１８に伝達して処理を遂行した後、スピーカ１１０やイヤホン１１２に伝達するようになる。 仮りに、受信されたデータがダウンロードサービスなどのようなサービスを通じて伝えられたデータであれば、受信されたデータはメモリに格納することになる。 
【００１１】
一方、モデム制御通信部１２０は受信された制御信号を分析してこれに合う動作を各モジュールに指示することになる。 即ち、使用者の音声がマイク１１４を通じて入力されれば、モデム制御通信部１２０は該当音声データを音声コーデックインコーダ１０８に伝達し、音声データをインコーディングしてＲＦ信号処理部１０２を通じてネットワークに伝達するようにする。  
【００１２】
このように、大部分の移動通信端末は、音声通話の効率化及び無線チャネルの最適化のためにＥＶＲＣのような可変伝送率を有する音声コーデックを使用する。 ここでＥＶＲＣとは、音声の情報量によって可変的に音声情報を符号化する方式であって、通話者が話さない無音区間には情報量の低い割合で音声符号化をして、情報量の多い場合には高い速度で符号化する方式である。 このようなＥＶＲＣは常に一定の速度で符号化をする以前の方式に比べて效率のよい方式であると見ることができる。 これを利用することで、符号分割多重接続（ＣＤＭＡ）移動通信システムのシステム容量を増加させる効果があり、同時に消費電力も低減できることになる。 
【００１３】
しかしながら、このようなＥＶＲＣのような可変伝送率の音声コーデックは、黙音区間が殆ど存在しない背景音のような音楽に対しては可変伝送率コーディング誤りにより音楽品質を低下させるという問題点がある。これを克服するために、実際に音楽サービス提供者は音源を抽出し、ＥＶＲＣに合うように音源を修正することで、音声コーデックによる音源の損傷を最小化しようという努力をしているが、このような音源の補正はＥＶＲＣの特性を考えた前処理プロセシングや音響技術者の手作業に依存している。
【００１４】
しかしながら、このような作業はＥＶＲＣを通じた音楽サービスの品質を音声品質に準する水準には補完できるが、音声コーデックは音声通話に適するように設計具現されているので、音楽サービスの品質を改善し難いという問題点がある。このような問題点により、現在サービス中の多くの高品質音楽サービスは、高品質のマルチメディアコーデックを別途に使用し、音声チャンネルでないデータチャンネルを用いて音楽を提供している。ところが、このような常用化したマルチメディアサービスコーデックは、大部分１６Ｋ以上の伝送速度を要求しているが、これは８Ｋ位の伝送率を提供する音声チャンネルに適用することには問題点がある。 したがって、これを用いる大部分の音楽サービスは１６Ｋ以上のデータ伝送率が保障されるデータチャンネルを用いてリアルタイムサービスを提供したりダウンロードサービスを通じて音楽ファイルをダウンロードした後にサービスを提供することになる。
【００１５】
このような音声チャンネルを用いるリングバックトーンサービスに対してマルチメディアサービスを提供するためには、８Ｋの伝送率を有するマルチメディアコーデックの開発とこれを提供できる移動通信システム及び端末の提供が必須的である。 ここで、８Ｋの伝送率を有するマルチメディアコーデックの開発は、現在のマルチメディアコーデック標準でサンプリング割合（Sampling Rate）を減らすことにより解決可能である。 しかしながら、移動通信システムと端末とがこのようなサービスを提供することには移動通信システムの変更と移動通信端末の変更が不可避である。
【発明の開示】
【発明が解決しようとする課題】
【００１６】
前述した問題点を解決するために、本発明は、発信者端末機がＥＶＲＣ（Enhanced Variable Rate Codec）のような音声専用コーデックの以外に、音楽の品質改善が可能なマルチメディアコーデックを支援する場合に、リングバックトーン区間の間には高品質の音楽のためのマルチメディアコーデックを動作させて、音声通話時にはＥＶＲＣのような音声コーデックを動作させることができるマルチメディアリングバックトーンサービスを提供することにおいて、このようなマルチメディアリングバックトーンサービスのための端末機及び端末機の制御方法を提供することをその目的とする。
【課題を解決するための手段】
【００１７】
本発明の第１の目的によれば、加入者のリングバックトーンサービス加入の可否を含むプロファイル情報が格納されているホーム位置登録機（ＨＬＲ：Home Location Register）、リングバックトーン音源を格納している音源提供サーバーを用いて、発信加入者が着信加入者に電話をかければ、着信加入者が前記音源提供サーバーに予め設定して置いたリングバックトーン音源が発信端末機に再生されるようにするマルチメディアリングバックトーンサービスのための端末機制御方法であって、（ａ）交換機から前記マルチメディアコーデック情報を含んだコーデック設定メッセージを受信するステップと、（ｂ）音声コーデックのデコーディング機能を非活性化させるステップと、（ｃ）マルチメディアコーデックのデコーディング機能を活性化させるステップと、（ｄ）前記リングバックトーン音源を受信するステップと、（ｅ）前記マルチメディアコーデックを通じて前記リングバックトーン音源をデコーディングして再生するステップと、を含むことを特徴とするマルチメディアリングバックトーンサービスのための端末機制御方法を提供する。
【００１８】
本発明の第２の目的によれば、加入者のリングバックトーンサービス加入の可否を含むプロファイル情報が格納されているホーム位置登録機（ＨＬＲ：Home Location Register）、リングバックトーン音源を格納している音源提供サーバーを用いて、発信加入者が着信加入者に電話をかければ、着信加入者が前記音源提供サーバーに予め設定して置いたリングバックトーン音源が発信端末機に再生されるようにする、マルチメディアリングバックトーンサービスのために分配器を用いた端末機制御方法であって、（ａ）交換機から前記マルチメディアコーデック情報を含んだコーデック設定メッセージを受信するステップと、（ｂ）前記分配器を用いて受信データの経路を音声コーデックからマルチメディアコーデックに変更するステップと、（ｃ）前記リングバックトーン音源を受信するステップと、（ｄ）前記マルチメディアコーデックを通じて前記リングバックトーン音源をデコーディングして再生するステップと、を含むことを特徴とするマルチメディアリングバックトーンサービスのために分配器を用いた端末機制御方法を提供する。
【００１９】
本発明の第３の目的によれば、加入者のリングバックトーンサービス加入の可否を含むプロファイル情報が格納されているホーム位置登録機（ＨＬＲ：Home Location Register）、リングバックトーン音源を格納している音源提供サーバーを用いて、発信加入者が着信加入者に電話をかければ、着信加入者が前記音源提供サーバーに予め設定して置いたリングバックトーン音源が発信端末機に再生されるようにするマルチメディアリングバックトーンサービスのための端末機制御方法であって、（ａ）交換機から前記マルチメディアコーデック情報を含んだコーデック設定メッセージを受信するステップと、（ｂ）受信データの経路を音声コーデックからマルチメディアコーデックに変更するステップと、（ｃ）前記リングバックトーン音源を受信するステップと、（ｄ）前記マルチメディアコーデックを通じて前記リングバックトーン音源をデコーディングして再生するステップと、を含むことを特徴とするマルチメディアリングバックトーンサービスのための端末機制御方法を提供する。
【００２０】
本発明の第４の目的によれば、加入者のリングバックトーンサービス加入の可否を含むプロファイル情報が格納されているホーム位置登録機（ＨＬＲ:Home Location Register）、リングバックトーン音源を格納している音源提供サーバーを用いて、発信加入者が着信加入者に電話をかければ、着信加入者が前記音源提供サーバーに予め設定して置いたリングバックトーン音源が発信端末機に再生されるようにするマルチメディアリングバックトーンサービスのための端末機であって、前記マルチメディアコーデック情報を含んだコーデック設定メッセージを受信すれば音声コーデックのデコーディング機能を非活性化させて、マルチメディアコーデックのデコーディング機能を活性化させるように制御するモデム通信制御部と、前記モデム通信制御部の制御によって前記デコーディング機能が活性化されれば、通信網を通じて受信された前記リングバックトーン音源を前記マルチメディアコーデックを通じてデコーディングするマルチメディアプロセスモジュールと、を含むことを特徴とするマルチメディアリングバックトーンサービスのための端末機を提供する。
【００２１】
本発明の第５の目的によれば、加入者のリングバックトーンサービス加入の可否を含むプロファイル情報が格納されているホーム位置登録機（ＨＬＲ：Home Location Register）、リングバックトーン音源を格納している音源提供サーバーを用いて、発信加入者が着信加入者に電話をかければ、着信加入者が前記音源提供サーバーに予め設定して置いたリングバックトーン音源が発信端末機に再生されるようにする、マルチメディアリングバックトーンサービスのために分配器を用いた端末機であって、前記マルチメディアコーデック情報を含んだコーデック設定メッセージを受信すれば、受信データの経路を音声コーデックからマルチメディアコーデックに変更するように制御するモデム通信制御部と、前記モデム通信制御部の制御によって、前記受信データの経路を変更する分配器と、前記リングバックトーン音源が受信されれば、前記マルチメディアコーデックを通じて前記リングバックトーン音源をデコーディングするマルチメディアプロセスモジュールとを含むことを特徴とするマルチメディアリングバックトーンサービスのために分配器を用いた端末機を提供する。
【００２２】
本発明の第６の目的によれば、加入者のリングバックトーンサービス加入の可否を含むプロファイル情報が格納されているホーム位置登録機（ＨＬＲ：Home Location Register）、リングバックトーン音源を格納している音源提供サーバーを用いて、発信加入者が着信加入者に電話をかければ、着信加入者が前記音源提供サーバーに予め設定して置いたリングバックトーン音源が発信端末機に再生されるようにするマルチメディアリングバックトーンサービスのための端末機であって、前記マルチメディアコーデック情報を含んだコーデック設定メッセージを受信すれば、受信データの経路を音声コーデックからマルチメディアコーデックへ変更するように制御するモデム通信制御部と、前記モデム通信制御部の制御によって、前記受信データの経路が前記マルチメディアコーデックに変更されれば、通信網を通じて受信された前記リングバックトーン音源を前記マルチメディアコーデックを通じてデコーディングするマルチメディアプロセスモジュールとを含むことを特徴とするマルチメディアリングバックトーンサービスのための端末機を提供する。
【発明の効果】
【００２３】
以上、説明したように、本発明によれば、リングバックトーンサービスで多様な種類のマルチメディアコーデックを活用してリングバックトーン区間の間には高品質の音楽のためのマルチメディアコーデックを動作させて、音声通話時にはＥＶＲＣのような音声コーデックを動作させることができる方案を提示することで、高品質のリングバックトーンサービスを提供するという効果がある。 また、本発明では、このようなマルチメディアリングバックトーンサービスを提供することにおいて、必要とする端末機及び端末機の制御方法を提供することで、音楽サービス及び音声通話品質に対する顧客の要求を同時に満足させることができるという効果がある。
【００２４】
また、移動通信事業者の立場では、現在サービス中のリングバックトーンサービスの品質改善がなされることができるので、向上したサービスに対する追加料金という側面で新しい収益を創出することができ、顧客の移動通信サービス満足度を向上させることができるという効果がある。
【発明を実施するための最良の形態】
【００２５】
以下、本発明の好ましい実施例を添付した図面を参照しつつ詳細に説明する。まず、各図面の構成要素への参照符号の付加において、同一な構成要素に対しては、たとえ他の図面上に表示されてもできる限り同一な符号が与えられていることに留意しなければならない。また、本発明の説明において、関連した公知構成または機能に対する具体的な説明が本発明の要旨を曖昧にすることができると判断される場合にはその詳細な説明は省略する。
【００２６】
図２は、本発明の好ましい実施例に係るマルチメディアリングバックトーンサービスを提供するシステムを概略的に示すブロック構成図である。
【００２７】
図２に示すように、本発明の好ましい実施例に係るマルチメディアリングバックトーンサービスを提供するシステムは、発信端末機２００、基地局（ＢＴＳ：Base Transceiver Station）２０２、基地局制御器（ＢＳＣ：Base Station Controller）２０４、発信側交換機２０６、Ｎｏ．７網２０８、ホーム位置登録機（ＨＬＲ：Home Location Register）２１０、着信側交換機２１２、ゲートウェイ（Gateway）２１４、２２４、音源提供サーバ２１６、インターネット２１８、音源提供制御サーバ２２０、加入者データベース２２２、ウェブサーバ２２６などを含むことができる。
【００２８】
各構成要素の連結を概略的に説明すれば、次の通りである。ホーム位置登録機２１０は加入者に対する情報を有しており、シグナリング伝達プロトコル（ＳＴＰ：signaling transfer protocol）基盤のＮＯ．７網２０８を媒介に発信側交換機２０６及び着信側交換機２１２と通信する。ここで、発信側交換機２０６及び着信側交換機２１２はゲートウェイ２１４装備を通じて音源を保管している音源提供サーバ２１６と連結される。また、発信側交換機２０６及び着信側交換機２１２は移動通信のためのアクセスを支援するために基地局２０４と連結される。このような基地局２０４は使用者端末と通信することになり、資源割当と音声通話チャンネルに対するボコーダ（Vocoder）制御を担当することになる。一方、音源提供サーバ２１６はインターネット２１８を介して加入者データベース２２２及び音源提供制御サーバ２２０と連結される。
【００２９】
以下、本発明の好ましい実施例に係る主要構成要素をより詳細に説明する。
【００３０】
本発明の好ましい実施例に係る発信端末機２００は、移動通信網を通じて相手方と音声通話及び画像通話を互いに遂行して、無線インターネット接続を通じてデータ通信が可能な端末機である。また、本発明の好ましい実施例に係る発信端末機２００は、呼制御のためのＨ．２４５、呼連結（Setup）及び呼シグナリング（Signaling）のためのＨ．２４５、オーディオコーデック及びビデオコーデックを支援する。即ち、音声通話のためのＥＶＲＣ（Enhanced Variable Rate codec）の以外のマルチメディアコーデックを使用して音声通話チャンネルで音楽サービスなどを受けることができる端末機である。したがって、本発明の好ましい実施例に係る発信端末機２００は、リングバックトーン音源を受信すれば、音源によってマルチメディアコーデックを用いて再生することになる。
【００３１】
ここで、マルチメディアコーデックの例には、ＡＡＣ（Advanced Audio Coding）コーデックなどが含まれるが、ＡＡＣは音声圧縮方式によりインターネットを用いた音楽分配サービスなどに利用されており、ＭＰ３、ＡＴＲＡＣ３（Adaptive Transform Acoustic Coding 3）などに一般的に使われている。ＡＡＣは、ＭＰ３に比べて圧縮率は高いが、音質が多少落ちるため、個人携帯通信（電話）などを使用した音楽分配用に適している。
【００３２】
本発明の好ましい実施例に係る発信端末機２００の内部構成は図５と共に詳細に説明する。
【００３３】
本発明の好ましい実施例に係る基地局２０２は、基底帯域信号処理、有無線変換、無線信号の送受信などを遂行して端末機と直接に連動する網終端（Endpoint）装置である。基地局２０２は信号チャンネルのうち、トラフィック（Traffic）チャンネルを介して発信端末機２００から着信端末機（図示していない）への呼試みを受付けて、受付けられた呼試みを発信側基地局制御器２０４に伝送する。
【００３４】
本発明の好ましい実施例に係る基地局制御器２０４は、基地局２０２を制御して、端末機に対する無線チャンネル割当及び解除、端末機及び基地局２０２の送信出力制御、セル間ソフトハンドオフ（Soft Handoff）及びハードハンドオフ（Hard Handoff）決定、トランスコーディング（Transcoding）及びボーコーディング（Vocoding）、ＧＰＳ（Global Positioning System）クロック分配、基地局２０２に対する運用及びメインテナンスなどの機能を遂行する。 
【００３５】
本発明の好ましい実施例に係る基地局制御器２０４は、発信側交換機２０６からマルチメディアコーデックを設定するようにするための第２コーデック設定メッセージを受信すれば、第２コーデック設定メッセージに含まれたマルチメディアコーデック情報を用いてマルチメディアコーデックを設定する。
【００３６】
一方、本発明の好ましい実施例に係る移動通信システムにおいて、マルチメディアコーデックを支援する場合、基地局制御器２０４に位置したボコーダ（図示していない）は着信側交換機２１２からボコーダ設定を要請受ければ、リングバックトーン音源をマルチメディアコーデックにインコーディングして発信端末機２００に伝送する。 このために、基地局制御器２０４には、ハードウェアまたはソフトウェアの形でマルチメディアコーデックが提供される。
【００３７】
本発明の好ましい実施例に係る交換機２０６、２１２は、移動通信網が效率よく運用できるようにする統制機能及び発信端末機２００の通話要請に対して交換機能を遂行する。 即ち、端末機の基本及び付加サービス処理、加入者の着信及び発信呼処理、位置登録手順及びハンドオフ手順処理、他網との連動機能などを遂行する。 ＩＳ−９５Ａ／Ｂ／Ｃシステムの交換機２０６、２１２は、分散した呼処理の機能を遂行するＡＳＳ（Access Switching Subsystem）、集中化した呼処理機能を遂行するＩＮＳ（Interconnection Network Subsystem）、運用及び保全の集中化機能を担当するＣＣＳ（Central Control Subsystem）、移動加入者に対する情報の格納及び管理機能を遂行するＬＲＳ（Location Registration Subsystem）などのサブシステムを含む。また、３世代及び４世代のための交換機２０６、２１２にはＡＴＭ（Asynchronous Transfer Mode）スイッチ（図示していない）が含まれていてもよい。ＡＴＭスイッチはセル単位のパケット伝送により伝送速度と回線使用の効率を増大させる。
【００３８】
本発明の好ましい実施例に係る発信側交換機２０６は、発信端末機２００が着信端末機（図示していない）に呼連結を試みれば、ホーム位置登録機２１０から着信端末機（図示していない）のリングバックトーンサービス加入の可否及び発信端末機２００で支援するマルチメディアコーデック情報を受信する。この際、着信端末機（図示していない）がリングバックトーンサービスに加入していれば、マルチメディアコーデック情報を含んだＩＳＵＰ（ISDN User Part）呼接続要請メッセージを音源提供サーバ２１６に伝送して、音源提供サーバ２１６からマルチメディアコーデックに変換可能なリングバックトーン音源を受信して基地局２０２及び基地局制御器２０４を経て発信端末機２００に伝送する。
【００３９】
この際、発信側交換機２０６からマルチメディアコーデック情報を含んだＩＳＵＰ呼接続要請メッセージを着信加入者側に伝送すれば、着信加入者側ではマルチメディアコーデック情報を含んだ第１コーデック設定メッセージを発信側交換機２０６に伝送することになる。 すると、発信側交換機２０６では発信側基地局制御器２０４にマルチメディアコーデック設定を要請する第２コーデック設定メッセージを伝送して発信側基地局制御器２０４がマルチメディアコーデックを設定するように制御して、発信端末機２００にマルチメディアコーデック設定を要請する第３コーデック設定メッセージを伝送して発信端末機２００がマルチメディアコーデックを設定するように制御する。
【００４０】
このために、本発明の好ましい実施例に係る交換機２０６、２１２は、加入者の位置登録時にホーム位置登録機２１０と通信してリングバックトーンサービス加入の有無に対する情報と音源提供サーバ２１６にルーティングするための情報を格納する。
【００４１】
一方、発信側交換機２０６は、ＩＳＵＰ呼接続要請メッセージを音源提供サーバ２１６に伝送した後、発信側基地局２０２及び発信端末機２００にマルチメディアコーデック設定を要請し、リングバックトーンサービスのためのルーティング経路を活性化させる。
【００４２】
一方、着信端末機（図示していない）により呼着信がなされれば、着信側交換機２１２では呼着信信号及び着信端末機（図示していない）の音声通話のためのコーデック設定変更要請信号を発信側交換機２０６に伝送する。発信側交換機２０６では、このような呼着信信号を受信すれば、音源提供サーバ２１６とのＩＳＵＰ呼接続を解除して、またコーデック設定変更要請信号を受信すれば、発信側基地局２０２及び発信端末機２００にコーデック設定変更を要請して音声通話が可能にする。
【００４３】
本発明の好ましい実施例に係るホーム位置登録機（ＨＬＲ：Home Location Register）２１０は、端末機の登録認識、登録削除、位置確認などの機能を遂行する。また、ホーム位置登録機２１０には、加入者のリングバックトーンサービス加入の可否を含むプロファイル情報、音源提供サーバ２１６にルーティングするための情報及び加入者端末機が支援するマルチメディアコーデック情報が格納されている。ここで、加入者端末機が支援するマルチメディアコーデック情報は、発信加入者プロファイルの付加サービス加入情報として設定格納されている。
【００４４】
仮に、発信端末機２００が支援するマルチメディアコーデックがＥＶＲＣの以外のコーデックであり、本発明の好ましい実施例に係る移動通信システムがマルチメディアコーデックを支援しない場合、リングバックトーン音源が発信側ボコーダをそのまま通過するように制御するための制御メッセージが着信側交換機２１２から発信側交換機２０６に伝送される。 仮に、本発明の好ましい実施例に係る移動通信システムがマルチメディアコーデックを支援する場合、着信側交換機２１２は受信されたＩＳＵＰ呼接続要請メッセージを音源提供サーバ２１６に伝送し、音源提供サーバ２１６からリングバックトーン音源を受信してマルチメディアコーデックに対するボコーダ設定を発信側ボコーダに要請する。
【００４５】
本発明の好ましい実施例に係る音源提供サーバ２１６は、リングバックトーン音源を格納していて、着信側交換機２１２からＩＳＵＰ呼接続要請メッセージを受信すれば、ＩＳＵＰ呼接続要請メッセージに含まれたマルチメディアコーデック情報を用いて選択されたリングバックトーン音源を着信側交換機２１２に伝送する。 
【００４６】
本発明の好ましい実施例に係る移動通信システムがマルチメディアコーデックを支援しない場合、音源提供サーバ２１６には各種音源が使用者端末機に適用可能なコーデック種類毎にインコーディングされて格納されてあり、本発明の好ましい実施例に係る移動通信システムがマルチメディアコーデックを支援する場合、音源提供サーバ２１６には各種音源が使用者端末機に適用可能なコーデック種類別に格納されてあり、かつ、インコーディングされていない。
【００４７】
このような音源提供サーバ２１６は、ゲートウェイ２１４を媒介に交換機２０６、２１２と接続して、交換機２０６、２１２で要求したコーデックの種類に合う音源を提供する。
【００４８】
また、本発明の好ましい実施例に係る音源提供サーバ２１６は、発信側交換機２０６から受信されたマルチメディアコーデック情報が含まれた音源コード要請信号を生成して音源提供制御サーバ２２０に伝送し、音源提供制御サーバ２２０から受信されたリングバックトーン音源コードを用いて検索されたリングバックトーン音源を発信側交換機２０６に提供する。ここで、音源コード要請信号には、マルチメディアコーデック情報、着信端末機（図示していない）識別情報、発信端末機２００識別情報及び呼要請時間帯情報などが含まれている。
【００４９】
本発明の好ましい実施例に係る音源提供制御サーバ２２０は、インターネット網２１８を媒介に音源提供サーバ２１６と通信して音源提供サーバ２１６からマルチメディアコーデック情報が含まれた音源コード要請信号を受信すれば、マルチメディアコーデックに変換可能なリングバックトーン音源コードを検索して音源提供サーバ２１６に伝送する。ここで、音源提供制御サーバ２２０に格納されているリングバックトーン音源コードは、マルチメディアコーデック、特定発信者、発信者グループ及び発信時間帯毎に区別されて格納されているようになる。
【００５０】
本発明の好ましい実施例に係るウェブサーバ２２６は、インターネット網２１８を介して音源提供サーバ２１６、または音源提供制御サーバ２２０に連結されて、音源提供サーバ２１６に格納される音源を追加したり音源提供制御サーバ２２０に音源の特定のための情報及びこれに対応するリングバックトーン音源コードを変更するための有無線ウェブページを提供する。ここで、音源の特定のための情報には、特定発信者情報、発信者グループ情報、または発信時間帯などが含まれている。
【００５１】
図３は、本発明の好ましい実施例に係るマルチメディアリングバックトーンサービスを提供する過程を概略的に示す概念図である。
【００５２】
マルチメディアコーデックを具備した発信端末機２００において、基地局２０２／基地局制御器２０４に呼発信を要求すれば（Ｓ３００）、基地局２０２／基地局制御器２０４では発信側交換機２０６に呼発信要求を伝達する（Ｓ３０２）。 発信側交換機２０６では着信側交換機２１２に呼接続要請をし（Ｓ３０４）、同時にリングバックトーンサービス要求を音源提供サーバ２１６に伝送する（Ｓ３０６）。 
【００５３】
前述したように、音源提供サーバ２１６は発信端末機２００で使われるマルチメディアコーデックに合うようにリングバックトーン音源を格納してあり、着信側交換機２１２及び発信側交換機２０６を通じて発信端末機２００にリングバックトーン音源を伝送することになる（Ｓ３０８）。 
【００５４】
この際、本発明の好ましい実施例に係る移動通信システムがマルチメディアコーデックを支援しない場合、音源提供サーバ２１６から伝達されてくるリングバックトーン音源は既にインコーディングされた音源であるので、これをBy-Passすることになり、本発明の好ましい実施例に係る移動通信システムがマルチメディアコーデックを支援する場合、発信側の基地局制御器２０４に位置したボコーダは受信したリングバックトーン音源をマルチメディアコーデックにインコーディングして発信端末機２００に伝送する。
【００５５】
発信端末機２００は、受信されたリングバックトーン音源をマルチメディアコーデックを用いて再生することになる。以後、着信端末機（図示していない）により呼着信がなされれば（Ｓ３１０）、着信側交換機２１２は呼着信事実を発信側に通知する（Ｓ３１２）。着信側から呼着信信号を受信した発信側交換機２０６は、音源提供サーバ２１６にリングバックトーン解除を要求し（Ｓ３１４）、基地局制御器２０４のボコーダと発信端末機２００の音声コーデックを制御して音声通話を可能にする。
【００５６】
図４は、本発明の好ましい実施例に係るマルチメディアリングバックトーンサービスを提供する過程を詳細に示す図である。
【００５７】
発信端末機２００が着信端末機（図示していない）に呼連結を試みれば、発信側交換機２０６は基地局制御器２０４に無線資源割当と共にチャンネル割当及びボコーダ割当を遂行する（Ｓ４００）。 基地局制御器２０４は基地局２０２を通じて発信端末機２００とのサービスに対する協商を遂行する。 この過程で発信端末機２００は音声通話で使用する音声コーデック情報を知らせてくれて、基地局制御器２０４は音声コーデックの設定と音声通話チャンネルの割当を遂行する。 この過程で発信端末機２００と移動通信網間コーデックの同期化がなされることになる。 基地局制御器２０４は音声通話チャンネル割当事実を発信側交換機２０６に通知する。
【００５８】
発信側無線呼設定が完了すれば、発信側交換機２０６はホーム位置登録機２１０に着信端末機（図示していない）の位置情報を要求する（Ｓ４０２）。そして、ホーム位置登録機２１０は、発信側交換機２０６に着信端末機（図示していない）の位置情報応答を遂行する（Ｓ４０４）。この際、発信側交換機２０６は着信端末機（図示していない）に対するリングバックトーンサービス加入の可否及び発信端末機２００で支援するマルチメディアコーデックに対する情報も共に伝送される。
【００５９】
発信側交換機２０６はＩＡＭメッセージを用いて着信端末機（図示していない）に対する発呼要求があることを知らせるために、ＩＳＵＰ呼接続要請メッセージを移動電話網に伝送する（Ｓ４０６）。ここで、ＩＳＵＰ呼接続要請メッセージには、発信端末機２００で支援するマルチメディアコーデックに対する情報が含まれている。
【００６０】
次に、移動電話網では、マルチメディアリングバックトーンサービスのために、リングバックトーンサービス区間の以前に発信側交換機２０６に第１コーデック設定メッセージを伝送する（Ｓ４０８）。 そして、発信側交換機２０６は、基地局制御器２０４と発信端末機２００に対してマルチメディアリングバックトーンサービスのためのコーデック設定を要求することになる（Ｓ４１０、Ｓ４１４）。 この際、発信側交換機２０６から基地局制御器２０４に伝送されるメッセージを第２コーデック設定メッセージと定義し、基地局制御器２０４から発信端末機２００に伝送されるメッセージを第３コーデック設定メッセージと定義する。
【００６１】
この場合に、第１コーデック設定メッセージ及び第２コーデック設定メッセージは既存の基地局制御器２０４と移動電話交換機間インターフェースに定義されたTranscoder_Control_Reqメッセージを用いることが好ましくて、この際、マルチメディアコーデック情報を伝送できるようにリングバックトーンコーデックフィールドを追加しなければならない。ここで、好ましくは、リングバックトーンコーデックフィールドを４ｂｉｔにしてマルチメディアコーデック情報を含めるが、これに限るのではない。
【００６２】
基地局制御器２０４は、発信側交換機２０６から伝達されてきた第２コーデック設定メッセージに含まれたマルチメディアコーデック情報を用いて該当コーデックを設定する。 仮りに、基地局制御器２０４がハードウェアー的にマルチメディアリングバックトーンサービスのためのマルチメディアコーデックを支援すれば、該当音源をインコーディングしてコーデックを設定すればよい、そうでない場合には基地局制御器２０４のボコーダをBy-Passし、発信端末機２００とリングバックトーンサービスシステムの音源との間のマルチメディアコーデック情報を同期化することが必要である。 
【００６３】
発信側交換機２０６は発信端末機２００に対してもマルチメディアリングバックトーンサービスのためのマルチメディアコーデック設定を要求しなければならない。このために、発信側交換機２０６は発信端末機２００にマルチメディアリングバックトーンサービスのためのマルチメディアコーデック情報を伝達しなければならない。 現在の移動電話システムに影響を最小化しながら移動端末に該当情報を伝達するためには、データバースト（Data_Burst）メッセージを使用することが效率的であり、このデータバーストメッセージ内に発信端末機２００が設定するマルチメディアコーデック情報を伝送できるようにリングバックトーンコーデックフィールドを追加しなければならない。 ここで、好ましくは、リングバックトーンコーデックフィールドを４ｂｉｔにしてマルチメディアコーデック情報を含めるが、これに限るのではない。
【００６４】
このように発信側交換機２０６からマルチメディアコーデック情報を含んだ第３コーデック設定メッセージを受信した発信端末機２００は、内蔵された音声コーデックのデコーディング機能を非活性化させて、代わりにマルチメディアコーデックのデコーディング機能を活性化させることになる。 このようにすることで、マルチメディアコーデックにインコーディングされたリングバックトーン音源を受信してマルチメディアコーデックを通じてデコーディングして再生することになる。 これに対する詳細は図５で後述する。
【００６５】
リングバックトーン区間が終了すれば、発信側交換機２０６は基地局制御器２０４に音声コーデック設定メッセージを伝送して音声コーデックへの転換を要求することになる（Ｓ４２２）。 ここで、音声コーデック設定メッセージは、既存の基地局制御器２０４と移動電話交換機間のインターフェースに定義されたTranscoder_Control_Reqメッセージを用いることが好ましくて、この際、音声コーデック情報を伝送できるようにリングバックトーンコーデックフィールドを追加しなければならない。 ここで、好ましくは、リングバックトーンコーデックフィールドを４ｂｉｔにしてマルチメディアコーデック情報を含めるが、これに限るのではない。
【００６６】
しかしながら、端末側には別途のメッセージを伝送しなくて、既存の呼手順で呼着信時に受信される連結設定メッセージ（例：Alertメッセージ、Connectメッセージ）に含まれた情報を用いて音声コーデックへの転換を判断すればよい。 発信端末機２００から音声コーデックへの転換が感知されれば、連結設定メッセージに含まれた情報を用いて音声コーデックのデコーディング機能を活性化させて音声通話を可能にする。この際、端末が設定しなければならない音声コーデック情報は呼発信手順で協議された音声コーデックにすればよい。 
【００６７】
ここで、発信側交換機２０６は発信端末機２００と着信端末機（図示していない）の音声通話のための音声コーデックが相互一致する場合に、発信側基地局制御器２０４に位置した発信側ボコーダをそのまま通過するように制御する。
【００６８】
図５は、本発明の好ましい実施例に係る端末機の内部構成を簡略に示すブロック構成図である。
【００６９】
図５に示すように、本発明の好ましい実施例に係る端末機はアンテナ５００、ＲＦ信号処理部５０２、マックス（ＭＵＸ）５０４、音声コーデックデコーダ５０６、音声コーデックインコーダ５０８、スピーカ５１０、イヤホン５１２、マイク５１４、応用プロセスモジュール５１６、マルチメディアプロセスモジュール５１８及びモデム制御通信部５２０などを含むことができる。 以下では、図５に図示された内部構成のうち、移動通信網で利用する端末機の通常的な内部構成に対する説明は省略する。 
【００７０】
本発明の好ましい実施例に係る端末機と既存端末機との差は、受信されるリングバックトーン音源データがマルチメディアリングバックトーンのために端末機で音声コーデックデコーダをBy-Passするというのである。 従って、本発明の好ましい実施例に係る端末機は、このような機能のためのＳ／Ｗの変更がなされた。
【００７１】
本発明の好ましい実施例に係るＲＦ信号処理部５０２は、送信メッセージ信号をＲＦ（Radio Frequency）信号に変換してアンテナ５００に出力したり、アンテナ５００から印加されたＲＦ信号を受信メッセージ信号（ＲＸＩＱ）に変換してマックス５０４に出力する。アンテナ５００はＲＦ信号を公衆に送出したり、公衆から受信したＲＦ信号をＲＦ信号処理部５０２に伝達する。
【００７２】
本発明の好ましい実施例に係るモデム制御通信部５２０は、発信側交換機２０６からマルチメディアコーデック情報を含んだ第３コーデック設定メッセージを受信すれば、受信データの経路を音声コーデックデコーダ５０６からマルチメディアプロセスモジュール５１８のマルチメディアコーデックに変更するように制御する。 また、本発明の好ましい実施例に係るモデム制御通信部５２０では、呼着信がなされて着信側交換機２１２などから連結設定メッセージを受信すれば、連結設定メッセージに含まれた情報を用いて受信データの経路を音声コーデックデコーダ５０６に変更するように制御する。 この際、音声コーデックデコーダ５０６では音声コーデックを設定するが、ここで設定される音声コーデックは呼発信手順で協議された音声コーデックである。
【００７３】
ここで、受信データの経路を制御する方法で、モデム制御通信部５２０は第３コーデック設定メッセージを受信すれば、音声コーデックデコーダ５０６のデコーディング機能を非活性化させて、マルチメディアプロセスモジュール５１８のマルチメディアコーデックのデコーディング機能を活性化させるように制御する。 また、本発明の好ましい実施例に係るモデム制御通信部５２０では、呼着信がなされて着信側交換機２１２などから連結設定メッセージを受信すれば、連結設定メッセージに含まれた情報を用いて音声コーデックデコーダ５０６のデコーディング機能を活性化させるように制御する。
【００７４】
一方、受信データの経路を制御する更に他の方法で、音声コーデックデコーダ５０６の受信部の前に分配器（Splitter）（図示していない）を設置して利用することができる。 本発明の好ましい実施例に係る分配器（図示していない）はモデム通信制御部の制御によって受信データの経路を変更する機能をする。
【００７５】
本発明の好ましい実施例に係るマルチメディアプロセスモジュール５１８はリングバックトーン音源が受信されれば、マルチメディアコーデックを通じてリングバックトーン音源をデコーディングする。 この際、受信されるリングバックトーン音源はマルチメディアコーデックにインコーディングされた音源であり、本発明の好ましい実施例に係るメディアプロセスモジュール５１８にはマルチメディアコーデックがソフトウェア形態で具現されている。
【００７６】
図６は、本発明の好ましい実施例に係るマルチメディアリングバックトーンサービスのための端末機の制御過程を簡略に示す順序図である。
【００７７】
まず、発信端末機２００では発信側交換機２０６からマルチメディアコーデック情報を含んだコーデック設定メッセージを受信する（Ｓ６００）。 コーデック設定メッセージを受信したＲＦ信号処理部５０２ではマックス５０４を通じてモデム制御通信部５２０にコーデック設定メッセージを伝達し（Ｓ６０２）、モデム制御通信部５２０では受信データの経路を音声コーデックからマルチメディアコーデックに変更するように制御する（Ｓ６０４）。
【００７８】
ここで、受信データの経路を変更することは、音声コーデックデコーダ５０６のデコーディング機能を非活性化させて、マルチメディアプロセスモジュール５１８のマルチメディアコーデックのデコーディング機能を活性化させる方法により可能である。 また、前述したように、音声コーデックデコーダ５０６の前段に分配器（図示していない）を設置して分配器（図示していない）を利用して受信データの経路を区分することも可能である。
【００７９】
移動通信網を通じてリングバックトーン音源が受信されれば（Ｓ６０６）、マルチメディアプロセスモジュール５１８のマルチメディアコーデックを通じて受信されたリングバックトーン音源をデコーディングし（Ｓ６０７）、スピーカ５２０を介して再生する（Ｓ６０８）。
【００８０】
着信端末機（図示していない）で呼着信がなされたかどうかを判断して（Ｓ６１０）、呼着信がなされればＲＦ信号処理部５０２を通じて連結設定メッセージを受信する（Ｓ６１２）。 この際、モデム制御通信部５２０は連結設定メッセージに含まれた情報を用いて受信データの経路を音声コーデックデコーダ５０６に変更して音声通話を遂行する（Ｓ６１４）。 
【００８１】
この場合も同様に、受信データの経路を音声コーデックデコーダ５０６に変更することは音声コーデックデコーダ５０６のデコーディング機能を活性化させたり、分配器（図示していない）を用いて経路を音声コーデックデコーダ５０６に変更することになる。
【００８２】
以上の説明は、本発明を例示的に説明したことに過ぎないものであって、本発明が属する技術分野で通常の知識を有する者であれば、本発明の本質的な特性から外れない範囲で多様な変形が可能である。したがって、本明細書に開示された実施例は本発明を限定するためのものでなく、説明するためのものであり、このような実施例により本発明の思想と範囲が限るのではない。本発明の範囲は下記の請求範囲により解されなければならなくて、それと同等な範囲内にある全ての技術は本発明の権利範囲に含まれることと解されているべきである。
【図面の簡単な説明】
【００８３】
【図１】従来の移動端末機の内部構成を簡略に示すブロック構成図である。
【図２】本発明の好ましい実施例に係るマルチメディアリングバックトーンサービスを提供するシステムを概略的に示すブロック構成図である。
【図３】本発明の好ましい実施例に係るマルチメディアリングバックトーンサービスを提供する過程を概略的に示す概念図である。
【図４】本発明の好ましい実施例に係るマルチメディアリングバックトーンサービスを提供する過程を詳細に示す図である。
【図５】本発明の好ましい実施例に係る端末機の内部構成を簡略に示すブロック構成図である。
【図６】本発明の好ましい実施例に係るマルチメディアリングバックトーンサービスのための端末機の制御過程を簡略に示す順序図である。
【図１】
2008507191.tif 000003
【図２】
2008507191.tif 000004
【図３】
2008507191.tif 000005
【図４】
2008507191.tif 000006
【図５】
2008507191.tif 000007
【図６】
2008507191.tif 000008
【国際調査報告】
2008507191.tif 000009
2008507191.tif 000010